(57)【要約】      （修正有）【課題】見栄えが良く、容易に施工することができる便器設備を提供する。【解決手段】便器設備は、便鉢部１１、この便鉢部１１から後方に延びた中間部１３、及びこの中間部１３の後方に設けられ、洗浄水が流入する流入部１５を有する便器本体１０と、中間部１５を挿通する開口部３１を有する板部材３０と、床面に設置した便器本体１０に対して、開口部３１に中間部１３を挿通して板部材３０を立設させた状態において、便器本体１０の側面に配置され、開口部３１の前端縁３１Ｘより後方に後端縁５７Ｘが位置するカバー部材５０とを備えている。【選択図】図３
2015187350.tif 000002
【特許請求の範囲】
【請求項１】
便鉢部、この便鉢部から後方に延びた中間部、及びこの中間部の後方に設けられ、洗浄水が流入する流入部を有する便器本体と、
前記中間部を挿通する開口部を有する板部材と、
床面に設置した前記便器本体に対して、前記開口部に前記中間部を挿通して前記板部材を立設させた状態において、前記便器本体の側面に配置され、前記開口部の前端縁より後方に後端縁が位置するカバー部材とを備えていることを特徴とする便器設備。
【請求項２】
前記カバー部材を前記便器本体の側面に配置した状態で、このカバー部材の後端縁と前記開口部の前端縁との前後方向の最大距離は、便器本体の製造時及び施工時に生じる誤差の最大量よりも大きい請求項１記載の便器設備。
【請求項３】
前記カバー部材は前記板部材に対して直交した状態で前記開口部の内側に挿入される請求項１又は２記載の便器設備。
【請求項４】
前記板部材は前記開口部の前端縁を形成する凸部を有している請求項１乃至３のいずれか１項記載の便器設備。
【請求項５】
前記カバー部材の前後方向の位置を調整することができる調整部材を備えている請求項１乃至４のいずれか１項記載の便器設備。
【発明の詳細な説明】
【技術分野】
【０００１】
本発明は便器設備に関するものである。
【背景技術】
【０００２】
特許文献１は従来の便器設備が開示されている。この便器設備は、便器本体と板部材とを備えている。便器本体は、便鉢部、この便鉢部から後方に延びた中間部、及びこの中間部の後方に設けられ、洗浄水が流入する流入部を有している。板部材は中間部の外形状に合わせて開口部を形成している。この便器設備は便器本体の側面と板部材の開口部との間に隙間が形成されないように便器本体の側面と板部材の開口部との間に可撓性を有する緩衝材を挟み込んでいる。
【先行技術文献】
【特許文献】
【０００３】
【特許文献１】特開２００３−３２５３８３号公報
【発明の概要】
【発明が解決しようとする課題】
【０００４】
しかし、特許文献１の便器設備は、便器本体の側面と板部材の開口部との間に挟み込んだ緩衝材が便器本体及び板部材と材質及び色合いが異なるため、見栄えが悪い。また、便器本体の側面と板部材の開口部との間に緩衝材を挟み込む手間を要する。
【０００５】
本発明は、上記従来の実情に鑑みてなされたものであって、見栄えが良く、容易に施工することができる便器設備を提供することを解決すべき課題としている。
【課題を解決するための手段】
【０００６】
本発明の便器設備は、便鉢部、この便鉢部から後方に延びた中間部、及びこの中間部の後方に設けられ、洗浄水が流入する流入部を有する便器本体と、
前記中間部を挿通する開口部を有する板部材と、
床面に設置した前記便器本体に対して、前記開口部に前記中間部を挿通して前記板部材を立設させた状態において、前記便器本体の側面に配置され、前記開口部の前端縁より後方に後端縁が位置するカバー部材とを備えていることを特徴とする。
【０００７】
この便器設備は、便器本体の側面に配置され、板部材の開口部の前端縁より後方に、後端縁が位置するカバー部材を備えている。このため、便器本体の中間部の側面と、板部材の開口部との隙間を便器本体の使用者等が視認し難くすることができる。また、カバー部材を便器本体の側面に配置するだけでよいため、容易に施工することができる。
【０００８】
したがって、本発明の便器設備は見栄えが良く、容易に施工することができる。
【図面の簡単な説明】
【０００９】
【図１】実施例１の便器設備を示す斜視図である。
【図２】実施例１の便器設備であって、カバー部材を取り外した状態を示す斜視図である。
【図３】実施例１の便器設備の要部を示す切欠き断面図である。
【図４】実施例１の便器設備であって、カバー部材の取付状態を示す断面図である。
【図５】実施例１のカバー部材を示す斜視図である。
【図６】実施例１のカバー部材を示す斜視図である。
【図７】実施例２の便器設備の要部を示す切欠き断面図である。
【発明を実施するための形態】
【００１０】
本発明における好ましい実施の形態を説明する。
【００１１】
本発明の便器設備において、前記カバー部材を前記便器本体の側面に配置した状態で、このカバー部材の後端縁と前記開口部の前端縁との前後方向の最大距離は、便器本体の製造時及び施工時に生じる誤差の最大量よりも大きくし得る。この場合、便器本体の製造時及び施工時に生じる誤差を確実に吸収することができるため、便器本体の中間部の側面と、板部材の開口との隙間を便器本体の使用者等が視認し難くすることができる。
【００１２】
本発明の便器設備において、前記カバー部材は前記板部材に対して直交した状態で前記開口部の内側に挿入され得る。この場合、便器本体の製造誤差及び施工誤差が生じてカバー部材の後端縁と開口部の前端縁との前後方向の距離が変化しても、カバー部材と開口部との隙間は変化しないため、便器本体の中間部の側面と、板部材の開口との隙間を便器本体の使用者等が視認し難くすることができる。
【００１３】
本発明の便器設備において、前記板部材は前記開口部の前端縁を形成する凸部を有し得る。この場合も、板部材の凸部の前端縁より後方に、カバー部材の後端縁が位置するため、便器本体の中間部の側面と、板部材の開口との隙間を便器本体の使用者等が視認し難くすることができる。
【００１４】
前記カバー部材の前後方向の位置を調整することができる調整部材を備え得る。この場合、調整部材によって、便器本体の製造時及び施工時に生じる誤差に応じてカバー部材の位置決めをすることができる。このため、便器本体の中間部の側面と、板部材の開口との隙間を便器本体の使用者等が視認し難くすることができる。
【００１５】
次に、本発明の便器設備を具体化した実施例１及び２について、図面を参照しつつ説明する。
【００１６】
＜実施例１＞
実施例１の便器設備は、図１〜図４に示すように、便器本体１０と、板部材３０と、カバー部材５０とを備えている。便器本体１０は、便鉢部１１、便鉢部１１から後方に延びた中間部１３、及び中間部１３の後方に設けられ、洗浄水が流入する流入部１５を有している。また、便器本体１０は、便鉢部１１を前方から左右に亘って覆うように形成された外周壁部１７を有している。便器本体１０はトイレルームの床面に設置されている。
【００１７】
便器本体１０の中間部１３は、便鉢部１１の上面に連続して広がった上面部２１を有している。上面部２１は、立設した板部材３０よりも前方側で、図示しない便座及び便蓋が取り付けられる。また、上面部２１は、図２及び図４に示すように、外周壁部１７よりも後方、かつ板部材３０よりも前方で、左右両端が庇部２３を形成している。庇部２３は下面の後端部にカバー部材５０の後述する係止片５２を係止する係止部材７０を取り付けている。係止部材７０は係止片５２とによって調整部材を構成しており、カバー部材５０の前後方向の位置を調整することができる。
【００１８】
係止部材７０は、図４に示すように、上片部７１、屈曲部７３、下片部７５を有している。上片部７１は庇部２３の下面に貼着されている。屈曲部７３は、上片部７１の内側端部に連続しており、湾曲して下方に延びている。この屈曲部７３は弾性変形する。下片部７５は、屈曲部７３の下端部に連続しており、上片部７１に対向して位置している。上片部７１は先端に下方に突出する三角形状の凸部７１Ａが形成されている。下片部７５は先端に上方に突出した三角形状の凸部７５Ａが形成されている。上片部７１の凸部７１Ａと下片部７５の凸部７５Ａとは対向しており、これらの間に係止片５２が挿入されて係止される。
【００１９】
また、便器本体１０の中間部１３は、上面部２１の下方において、外周壁部１７よりも内側に位置し、便鉢部１１の下流側に連通する便器排水路が形成されている。さらに、中間部１３は、下端部において、外周壁部１７よりも内側に位置し、床面から立ち上がった下端面２５が形成されている。この下端面２５は便器本体１０の前後方向に延びた横長矩形状である。下端面２５は前後に離れた２か所に面ファスナー９１が貼着されている。これら面ファスナー９１は、後述するカバー部材５０の下端の２か所に貼着された面ファスナー９３を着脱することができる。
【００２０】
流入部１５は、図１〜図３に示すように、洗浄タンク１９を載置する台座部４１が形成されている。また、流入部１５は、洗浄タンク１９の流出口に連通し、便鉢部１１に洗浄水を吐水するディストリビュータ４３が組み込まれている。この便器本体１０は、洗浄タンク１９の流出口から流出した洗浄水が、ディストリビュータ４３を経由して、便鉢部１１に吐水されることによって、便器洗浄が実行される。
【００２１】
板部材３０は、図１及び図２に示すように縦長矩形状の平板であり、便器本体１０の中間部１３を挿通する開口部３１を有している。開口部３１は、板部材３０の下端中央部が開口した矩形状であり、左右幅が便器本体１０の庇部２３が形成された部位の左右幅よりも狭く、かつ流入部１５の直前の中間部１３よりも広く形成されている。また、開口部３１は高さが便器本体１０の上面よりも高く形成されている。板部材３０は床面に設置した便器本体１０の流入部１５の直前の中間部１３を開口部３１に挿通して立設している。板部材３０の後方であって、建物の壁との間に洗浄タンク１９等を収納する収納部Ｓが形成されている。
【００２２】
カバー部材５０は、図５、及び図６に示すように、カバー面部５１と、前屈曲片５３と、後屈曲片５５と、挿入片５７とを有している。カバー面部５１は便器本体１０の外周壁部１７に連続するように上方から下方に内側に湾曲しながら傾斜した縦長矩形状である。前屈曲片５３はカバー面部５１の前端縁から内側に屈曲して便器本体１０の外周壁部１７の後端面に当接する（図３参照）。後屈曲片５５はカバー面部５１の後端縁から内側に屈曲している。挿入片５７は後屈曲片５５に連続して後方に延びている。挿入片５７の後端縁５７Ｘがカバー部材５０の後端縁である。
【００２３】
カバー面部５１は、内側面の上端部の後方に内側に突出して水平方向に拡がっており、前後方向に長い平板矩形状の係止片５２が形成されている。また、カバー面部５１は、内側面の下端部の前側及び後側の離れた２か所に、凸部５４が形成されている。この凸部５４は、内側を向いた前後方向に長い矩形状の突出面部５４Ａと、突出面部５４Ａの前後縁からカバー面部５１の内面に延びて連結した脚片部５４Ｂとを有している。突出面部の内側を向いた面に面ファスナー９３が貼着されている。
【００２４】
このカバー部材５０は次に説明するように便器本体１０に取り付けられる。
【００２５】
先ず、カバー部材５０の挿入片５７を板部材３０の開口部３１に挿入する。この際、係止片５２を便器本体１０の庇部２３の下面に取り付けた係止部材７０の上片部７１の凸部７１Ａと下片部７５の凸部７５Ａとの間に挿入して、前後方向の取付位置を調整する。つまり、便器本体１０の製造時及び施工時に生じる誤差に応じてカバー部材５０を前後に移動させて位置決めを行う。そして、カバー部材５０の下部に貼着された面ファスナー９３を便器本体１０の中間部１３の下端面２５に貼着された面ファスナー９１に張り付けて、カバー部材５０を便器本体１０の側面後方に取り付ける。このように、カバー部材５０を適切な位置に容易に取り付けることができる。
【００２６】
このようにして、便器本体１０の側面後方に取り付けられたカバー部材５０は、図３に示すように、板部材３０の開口部３１の前端縁３１Ｘより後方に挿入片５７の後端縁５７Ｘ（カバー部材５０の後端縁）が位置した状態になる。このため、図１に示すように、便器本体１０の中間部１３の側面と、板部材３０の開口との隙間を便器本体１０の使用者等が視認し難くすることができる。また、カバー部材５０を便器本体１０等の色合いに揃えることによって見栄えを良くすることができる。また、カバー部材５０は、面ファスナー９１、９３によって着脱自在に容易に取り付けることができる。
【００２７】
したがって、実施例１の便器設備は、見栄えが良く、容易に施工することができる。
【００２８】
また、便器本体１０の側面後方に取り付けたカバー部材５０の後端縁５７Ｘと開口部３１の前端縁３１Ｘとの前後方向の最大距離は、便器本体１０の製造時及び施工時に生じる誤差の最大量よりも大きくなるように、カバー部材５０の挿入片５７は前後方向の長さを有している。このため、便器本体１０の製造時及び施工時に生じる誤差を確実に吸収することができるため、便器本体１０の中間部１３の側面と、板部材３０の開口との隙間を便器本体１０の使用者等が視認し難くすることができる。
【００２９】
また、カバー部材５０の挿入片５７は板部材３０に対して直交した状態で開口部３１の内側に挿入されている。このため、便器本体１０の製造誤差及び施工誤差が生じてカバー部材５０の後端縁５７Ｘと開口部３１の前端縁３１Ｘとの前後方向の距離が変化しても、カバー部材５０と開口部３１との間隔が変化しないため、便器本体１０の中間部１３の側面と、板部材３０の開口との隙間を便器本体１０の使用者等が視認し難くすることができる。
【００３０】
＜実施例２＞
実施例２の便器設備は、図７に示すように、板部材１３０の開口部１３１の形態と、カバー部材１５０の形態が実施例１と相違する。他の構成は実施例１と同様であり、同一の構成は同一の符号を付して詳細な説明を省略する。
【００３１】
板部材１３０は、開口１３１の左右縁に上下方向に延びた水平断面形状がＬ字状の突出部材１３３が取り付けられている。この突出部材１３３は、板部材１３０の裏面に貼着された取付部１３３Ａと、取付部１３３Ａの内縁から直角に屈曲して前方に突出する突出部１３３Ｂとから形成されている。この突出部１３３Ｂが開口部１３１の前端縁１３１Ｘを形成する凸部である。カバー部材１５０は、カバー面部５１と、前屈曲片５３とを有している。カバー面部５１の後端縁５１Ｘがカバー部材１５０の後端縁である。
【００３２】
このカバー部材１５０は次に説明するように便器本体１０に取り付けられる。
【００３３】
先ず、前屈曲片５３が便器本体１０の外周壁部１７の後端面に当接するように、係止片５２を便器本体１０の庇部２３の下面に取り付けた係止部材７０の上片部７１の凸部７１Ａと下片部７５の凸部７５Ａとの間に挿入して、前後方向の取付位置を調整する。そして、カバー部材１５０の下部に貼着された面ファスナー９３を便器本体１０の中間部１３の下端面２５に貼着された面ファスナー９１に張り付けて、カバー部材１５０を便器本体１０の側面後方に取り付ける。このように、カバー部材１５０を適切な位置に容易に取り付けることができる。
【００３４】
このようにして、便器本体１０の側面後方に取り付けられたカバー部材１５０は、開口部１３１の前端縁１３１Ｘ（突出部材１３３の突出部１３３Ｂの前端縁）より後方にカバー面部５１の後端縁５１Ｘ（カバー部材１５０の後端縁）が位置した状態になる。このため、便器本体１０の中間部１３の側面と、板部材１３０の開口１３１との隙間を便器本体１０の使用者等が視認し難くすることができる。また、カバー部材１５０を便器本体１０等の色合いに揃えることによって見栄えを良くすることができる。また、カバー部材１５０は、面ファスナー９１、９３によって着脱自在に容易に取り付けることができる。
【００３５】
したがって、実施例２の便器設備も、見栄えが良く、容易に施工することができる。
【００３６】
本発明は上記記述及び図面によって説明した実施例１及び２に限定されるものではなく、例えば次のような実施例も本発明の技術的範囲に含まれる。
（１）実施例１及び２では、係止部材と係止片とによって調整部材を構成していたが、調整部材を備えていなくてもよい。
（２）実施例１及び２では、面ファスナーでカバー部材を便器本体に取り付けていたが、他の方法でカバー部材を着脱自在に取り付けてもよい。
（３）カバー部材は他の形態であってもよい。
（４）実施例１及び２では流入部に洗浄タンクを載置し、洗浄タンクから洗浄水が流入するようにしたが、給水源から洗浄水が直接、流入部に流入する給水装置を接続してもよい。
【符号の説明】
【００３７】
１０…便器本体
１１…便鉢部
１３…中間部
１５…流入部
３０、１３０…板部材
３１、１３１…開口部
３１Ｘ、１３１Ｘ…（開口部の）前端縁
５０、１５０…カバー部材
５２、７０…調整部材（５２…係止片、７０…係止部材）
５７Ｘ、５１Ｘ…（カバー部材の）後端縁
【図１】
2015187350.tif 000003
【図２】
2015187350.tif 000004
【図３】
2015187350.tif 000005
【図４】
2015187350.tif 000006
【図５】
2015187350.tif 000007
【図６】
2015187350.tif 000008
【図７】
2015187350.tif 000009